(57)【要約】【課題】低負荷の表示灯と高負荷の表示灯の間に互換性を持たせ、１つの回路構成で両方の表示灯を制御することができる制御回路を具備したＸ線ＣＴ装置を提供する。【解決手段】実施形態のＸ線ＣＴ装置は、装置の動作状態に応じて表示灯を点灯または消灯する表示灯制御ユニット、を具備するＸ線ＣＴ装置において、前記表示灯制御ユニットは、前記表示灯を点灯又は消灯させるためのオン信号又はオフ信号を、本装置の動作状態に応じて出力する制御回路と、前記オン信号又はオフ信号に基づいて、前記表示灯に供給する交流電源の電流を通過又は遮断する半導体リレーと、前記表示灯を前記交流電源の負荷とするとき、前記負荷に並列に接続されるキャパシタと、を備えたことを特徴とする。【選択図】  図３
2015213640.tif 000002
【特許請求の範囲】
【請求項１】
装置の動作状態に応じて表示灯を点灯または消灯する表示灯制御ユニット、を具備するＸ線ＣＴ装置において、
前記表示灯制御ユニットは、
前記表示灯を点灯又は消灯させるためのオン信号又はオフ信号を、本装置の動作状態に応じて出力する制御回路と、
前記オン信号又はオフ信号に基づいて、前記表示灯に供給する交流電源の電流を通過又は遮断する半導体リレーと、
前記表示灯を前記交流電源の負荷とするとき、前記負荷に並列に接続されるキャパシタと、
を備えたことを特徴とするＸ線ＣＴ装置。
【請求項２】
前記キャパシタの容量は、前記キャパシタを流れる交流電流が、前記半導体リレーが動作可能な負荷電流範囲の下限値よりも大きくなるように設定される、
ことを特徴とする請求項１に記載のＸ線ＣＴ装置。
【請求項３】
前記制御回路は、（１）Ｘ線が照射中のときに前記表示灯を点灯させ、それ以外のときには前記表示灯を消灯させる第１の動作モード、（２）Ｘ線が照射可能になったときに前記表示灯を点灯させ、それ以外のときには前記表示灯を消灯させる第２の動作モード、及び、（３）本装置が動作中に前記表示灯を点灯させ、それ以外のときには前記表示灯を消灯させる第３の動作モード、のいずれかの動作モードに応じて、前記表示灯を点灯させるオン信号と、前記表示灯を消灯させるオフ信号とを出力する、
ことを特徴とする請求項１又は２に記載のＸ線ＣＴ装置。
【請求項４】
前記キャパシタに直列に接続される、キャパシタ無効化用のスイッチ、
をさらに備えたことを特徴とする請求項１乃至３のいずれか１項に記載のＸ線ＣＴ装置。
【請求項５】
前記キャパシタ無効化用のスイッチは、前記表示灯の光源の種類に応じて、開と閉の状態が設定される、
ことを特徴とする請求項４に記載のＸ線ＣＴ装置。
【請求項６】
前記キャパシタ無効化用のスイッチは、前記光源の種類が白熱灯又は蛍光灯の場合には、開に設定され、ＬＥＤ電球の場合には閉に設定される、
ことを特徴とする請求項５に記載のＸ線ＣＴ装置。
【請求項７】
前記半導体リレーは、高負荷用トライアック素子を用いて構成される、
ことを特徴とする請求項１乃至６のいずれか１項に記載のＸ線ＣＴ装置。
【請求項８】
前記表示灯は、本装置が設置される検査室の入口に少なくとも設けられる、
ことを特徴とする請求項１乃至７のいずれか１項に記載のＸ線ＣＴ装置。
【発明の詳細な説明】
【技術分野】
【０００１】
本発明の実施形態は、Ｘ線ＣＴ（Computed Tomography）装置に関する。
【背景技術】
【０００２】
Ｘ線ＣＴ装置では、Ｘ線源を被検体（患者）周りに高速で回転させつつ被検体を載せた天板を回転軸方向に移動させながら多数の２次元画像を取得する。そして、この多数の投影データを再構成することにより、被検体の３次元画像を得ている。
【０００３】
患者の診断或いは治療のためにＸ線を用いることは有用であるが、患者に対するＸ線曝射量を適正に管理することは重要であり、従来から種々の被曝線量の管理技術が提案されている（例えば、特許文献１等）。
【０００４】
一方、Ｘ線ＣＴ装置の本体は、通常、検査室と呼ばれる特定の部屋に設置されており、検査室への不用意な入室を防止するために、検査室の入口等には、「使用中」等を表示する自動表示灯が設けられている。自動表示灯は、Ｘ線ＣＴ装置に応じて自動的に点灯し、また自動的に消灯する。このような自動表示灯により、ＣＴ検査を受けようとする患者以外の一般の入院患者や通院患者、が或いは当該ＣＴ検査に関係のない医療従事者が、Ｘ線ＣＴ装置の稼働中に、不用意に検査室に入室することを防止することができる。
【先行技術文献】
【特許文献】
【０００５】
【特許文献１】特開２００７−６８７２０号公報
【発明の概要】
【発明が解決しようとする課題】
【０００６】
従来の自動表示灯は、白熱灯や蛍光灯が用いられており、それらの電源には、ＡＣ１００Ｖの商用電源が多く用いられている。また、白熱灯や蛍光灯を点灯、消灯するための交流用のスイッチングデバイスとして、トライアックを用いた高負荷用の半導体リレー（ＳＳＲ：Solid State Relay）が多く使用されている。
【０００７】
Ｘ線ＣＴ装置の動作状態に応じた制御信号（オン／オフ信号）を上記の高負荷用のＳＳＲに印加することにより、白熱灯や蛍光灯の点灯と消灯を、Ｘ線ＣＴ装置の動作状態に応じて切り換えることができる。
【０００８】
一方、近時は、ＬＥＤ電球が広く普及しつつある。ＬＥＤ電球は白熱灯や蛍光灯に比べて寿命がはるかに長い。また、ＬＥＤ電球の消費電力は白熱灯に比べるとはるかに小さく、蛍光灯と比べても小さい。このため、自動表示灯として、従来の白熱灯や蛍光灯に換えて、ＬＥＤ電球を使いたいと要望する病院も増えてきている。
【０００９】
しかしながら、従来から用いている高負荷用のＳＳＲでは負荷電流の下限値が規定されており、この下限値を下回る負荷電流では、正常なスイッチング動作ができない。そして、ＬＥＤ電球を負荷とした場合、多くの場合、その負荷電流は従来から用いられている高負荷用のＳＳＲの負荷電流の下限値よりも低くなり、ＬＥＤ電球の点灯、消灯を制御できない。
【００１０】
一方、ＬＥＤ電球に対しては、低負荷用のＳＳＲや、負荷電流の下限値に制限のないフォトモスリレーを使用する選択肢も考えられる。しかしながら、低負荷用のＳＳＲやフォトモスリレーでは、白熱灯や蛍光灯といった高負荷の表示灯を制御することができない。結局、従来の方式では、ＬＥＤ電球のような低負荷の表示灯と、白熱灯や蛍光灯といった高負荷の表示灯とを同じ制御回路で制御することができず、低負荷の表示灯と、高負荷の表示灯の間に互換性がなかった。互換性を持たせようとすると、２種類の制御回路を具備した上で、使用する表示灯の種類に応じて両者を切り換えるといった方法しかなかった。
【００１１】
そこで、低負荷の表示灯と高負荷の表示灯の間に互換性を持たせ、１つの回路構成で両方の表示灯を制御することができる制御回路を具備したＸ線ＣＴ装置が要望されている。
【課題を解決するための手段】
【００１２】
本発明の一実施形態に係るＸ線ＣＴ装置は、装置の動作状態に応じて表示灯を点灯または消灯する表示灯制御ユニット、を具備するＸ線ＣＴ装置において、前記表示灯制御ユニットは、前記表示灯を点灯又は消灯させるためのオン信号又はオフ信号を、本装置の動作状態に応じて出力する制御回路と、前記オン信号又はオフ信号に基づいて、前記表示灯に供給する交流電源の電流を通過又は遮断する半導体リレーと、前記表示灯を前記交流電源の負荷とするとき、前記負荷に並列に接続されるキャパシタと、を備えたことを特徴とする。
【図面の簡単な説明】
【００１３】
【図１】本発明の一実施形態に係るＸ線ＣＴ装置の一例を示す概略的な全体構成図。
【図２】表示灯の設置場所の一例を示す図。
【図３】表示灯制御ユニットの回路構成の回路構成例を示す図。
【図４】表示灯制御ユニットの回路構成の他の回路構成例を示す図。
【発明を実施するための形態】
【００１４】
本発明に係るＸ線ＣＴ装置および医用画像処理装置の実施形態について、添付図面を参照して説明する。
【００１５】
図１は、本発明の一実施形態に係るＸ線ＣＴ装置１０の一例を示す概略的な全体構成図である。Ｘ線ＣＴ装置１０は、スキャナ装置１１および医用画像処理装置１２を有する。Ｘ線ＣＴ装置１０のスキャナ装置１１は、通常は検査室に設置され、患者Ｏの部位（被検体）に関するＸ線の透過データを生成するために構成される。一方、医用画像処理装置１２は、通常は検査室に隣接する制御室に設置され、スキャナ装置１１から出力される被検体周りの投影データを再構成して３次元画像を生成して表示する。
【００１６】
Ｘ線ＣＴ装置１０のスキャナ装置１１は、Ｘ線管（Ｘ線源）２１、絞り２２、Ｘ線検出器２３、ＤＡＳ（Data Acquisition System）２４、回転部２５、高圧電源２６、絞り駆動装置２７、回転駆動装置２８、天板２９、天板駆動装置３０、およびコントローラ３１を有する。
【００１７】
Ｘ線管２１は、高圧電源２６により電圧（以下、管電圧という）を印加されてＸ線を発生する。Ｘ線管２１が発生するＸ線は、ファンビームＸ線やコーンビームＸ線として患者Ｏに向かって照射される。
【００１８】
絞り２２は、絞り駆動装置２７を介してコントローラ３１により制御されて、Ｘ線管２１から照射されるＸ線のスライス方向の照射範囲を調整する。
【００１９】
Ｘ線検出器２３は、１または複数のＸ線検出素子（電荷蓄積素子）により構成される。このＸ線検出素子は、Ｘ線管２１から照射されたＸ線を検知する。Ｘ線管２１およびＸ線検出器２３は、天板２９に載置された患者Ｏを挟んで対向する位置となるよう回転部２５に支持される。
【００２０】
このＸ線検出器２３としては、たとえばチャンネル（ＣＨ）方向に複数チャンネル、スライス方向に１列のＸ線検出素子を有するいわゆる１次元アレイ型（シングルスライス型）のものを用いることができる。また、チャンネル（ＣＨ）方向に複数チャンネル、スライス方向に複数列のＸ線検出素子を有するいわゆる２次元アレイ型（マルチスライス型）のものを用いてもよい。
【００２１】
ＤＡＳ２４は、Ｘ線検出器２３を構成するＸ線検出素子が検知した透過データの信号を増幅してデジタル信号に変換して投影データとして出力する。ＤＡＳ２４が出力する投影データは、スキャナ装置１１のコントローラ３１を介して医用画像処理装置１２に与えられる。
【００２２】
回転部２５は、Ｘ線管２１、絞り２２、Ｘ線検出器２３、およびＤＡＳ２４を一体として保持する。回転部２５が回転駆動装置２８を介してコントローラ３１に制御されて回転することにより、Ｘ線管２１、絞り２２、Ｘ線検出器２３、およびＤＡＳ２４は一体として患者Ｏの周りを回転する。
【００２３】
高圧電源２６は、コントローラ３１に制御されて、Ｘ線の照射に必要な電力をＸ線管２１に供給する。絞り駆動装置２７は、コントローラ３１に制御されて、絞り２２の開口を調整することによりＸ線のスライス方向の照射範囲を調整する。回転駆動装置２８は、コントローラ３１に制御されて、回転部２５を空洞部の周りに回転させる。
【００２４】
天板２９は、患者Ｏを載置可能に構成される。天板駆動装置３０は、コントローラ３１に制御されて、天板２９を昇降動させる。また、天板駆動装置３０は、コントローラ３１に制御されて、回転部２５の中央部分の開口部のＸ線照射場へ天板２９を移送する。
【００２５】
コントローラ３１は、ＣＰＵ、ＲＡＭおよびＲＯＭをはじめとする記憶媒体などにより構成され、この記憶媒体に記憶されたプログラムに従って、Ｘ線検出器２３、ＤＡＳ２４、高圧電源２６、絞り駆動装置２７、回転駆動装置２８および天板駆動装置３０を制御することによりスキャンを実行させる。コントローラ３１のＲＡＭは、ＣＰＵが実行するプログラムおよびデータを一時的に格納するワークエリアを提供する。コントローラ３１のＲＯＭをはじめとする記憶媒体は、スキャン装置１１の起動プログラム、スキャナ装置１１の制御プログラムや、これらのプログラムを実行するために必要な各種データを記憶する。
【００２６】
なお、コントローラ３１のＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００２７】
一方、Ｘ線ＣＴ装置１０の医用画像処理装置１２は、たとえばパーソナルコンピュータにより構成され、病院基幹のＬＡＮ（Local Area Network）等のネットワークとデータ送受信することができる。
【００２８】
医用画像処理装置１２は、図１に示すように、データ収集部４１、入力部４２、表示部４３、ネットワーク接続部４４、記憶部４５および主制御部４６を有する。
【００２９】
データ収集部４１は、スキャナ装置１１が実行したスキャンにより得られた投影データをＤＡＳ２４およびコントローラ３１を介して収集する。データ収集部４１によって収集された投影データは、記憶部４５に記憶される。
【００３０】
入力部４２は、たとえばキーボード、タッチパネル、テンキー、マウスなどの一般的な入力装置により構成され、ユーザの操作に対応した操作入力信号を主制御部４６に出力する。
【００３１】
表示部４３は、たとえば液晶ディスプレイやＯＬＥＤ（Organic Light Emitting Diode）ディスプレイなどの一般的な表示出力装置により構成され、主制御部４６の制御に従ってスキャノ像などの各種画像を表示する。
【００３２】
ネットワーク接続部４４は、ネットワークの形態に応じた種々の情報通信用プロトコルを実装する。ネットワーク接続部４４は、この各種プロトコルに従って医用画像処理装置１２と他の電気機器とを接続する。この接続には、電子ネットワークを介した電気的な接続などを適用することができる。ここで電子ネットワークとは、電気通信技術を利用した情報通信網全般を意味し、病院基幹ＬＡＮなどの無線／有線ＬＡＮやインターネット網のほか、電話通信回線網、光ファイバ通信ネットワーク、ケーブル通信ネットワークおよび衛星通信ネットワークなどを含む。
【００３３】
記憶部４５は、磁気的もしくは光学的記録媒体または半導体メモリなどの、主制御部４６のＣＰＵにより読み取り可能な記録媒体を含んだ構成を有する。記憶部４５は、データ収集部４１によって収集された投影データなどを記憶する他、主制御部４６のＣＰＵで実行する各種機能を実現するためのプログラムを記憶する。
【００３４】
表示灯制御ユニット１００は、表示灯２００の点灯又は消灯を本装置（Ｘ線ＣＴ装置１）の動作状態に応じて制御する。
【００３５】
図２は、表示灯２００の設置場所の一例を示す図である。検査室２１０の中にはスキャナ装置１１が設置されており、検査室２１０の入口には扉２１１がある。表示灯２００は、例えば、検査室２１０の扉２１１の上部の目立ちやすい位置に設置される。表示灯２００のカバーには、例えば「使用中」との文字が記載されており、表示灯２００が点灯しているときには、検査室２１０の中のＸ線ＣＴ装置１が使用中であることを示している。表示灯２００を点灯させることにより、関係者以外の者が不用意に検査室２１０に入ることを防いでいる。
【００３６】
表示灯２００の数は１つに限らない。検査室２１０の入口に設置する他、例えば、検査室２１０の中に設置してもよいし、医用画像処理装置１２が設置される制御室の中に設置してもよい。
【００３７】
表示灯２００の光源としては、白熱灯や蛍光灯などの比較的消費電力の大きな光源（以下、これらを高負荷光源と呼ぶ場合がある）でもよいし、ＬＥＤ電球等の消費電力が小さな光源（以下、これを低負荷光源と呼ぶ場合がある）でもよい。
【００３８】
実施形態の表示灯制御ユニット１００は、表示灯２００に使用される光源が高負荷光源であっても低負荷光源であっても、いずれでも同一の回路構成で制御することができる。以下、表示灯制御ユニット１００の回路構成について説明する。図３は、表示灯制御ユニット１００の回路構成例を示す図である。
【００３９】
表示灯制御ユニット１００は、制御回路１１０、半導体リレー（ＳＳＲ：Solid State Relay）１２０．キャパシタ１３０を少なくとも具備して構成される。
【００４０】
制御回路１１０は、表示灯２００を点灯又は消灯させるためのオン信号又はオフ信号を、コントローラ３１から出力される本装置の動作状態を示す信号に応じて生成し、生成したオン信号（例えば、High信号）又はオフ信号（例えば、Low信号）を半導体リレー１２０に出力する。
【００４１】
表示灯２００を点灯させる動作モードとしては、例えば、（１）Ｘ線が照射中のときに表示灯２００を点灯させ、それ以外のときには表示灯２００を消灯させる「第１の動作モード」、（２）Ｘ線が照射可能になったときに表示灯２００を点灯させ、それ以外のときには表示灯２００を消灯させる「第２の動作モード」、及び、（３）本装置がＸ線照射に関わらず動作時に表示灯２００を点灯させ、それ以外のときには表示灯２００を消灯させる「第３の動作モード」、等がある。上記の第１乃至第３の動作モードは、ジャンパ線やディップスイッチ等によって、制御回路１１０に予め設定することができる。
【００４２】
一方、コントローラ３１からは、動作状態を示す信号が制御回路１１０に入力される。例えば、（１）Ｘ線が実際に照射されていることを示す「Ｘ線照射中」の信号、（２）Ｘ線が照射可能になったことを示す「Ｘ線照射準備完了」の信号、（３）Ｘ線照射の有無にかかわらず、Ｘ線ＣＴ装置１が動作中である（通電中である）ことを示す「装置動作中」の信号、などがコントローラ３１から入力される。
【００４３】
この場合、制御回路１１０が「第１の動作モード」に設定されている場合には、「Ｘ線照射中」の信号が入力されたときにオン信号を半導体リレー１２０に出力する。制御回路１１０が「第２の動作モード」に設定されている場合には、「Ｘ線照射準備完了中」の信号が入力されたときにオン信号を半導体リレー１２０に出力する。また、制御回路１１０が「第３の動作モード」に設定されている場合には、「装置動作中」の信号が入力されたときにオン信号を半導体リレー１２０に出力する。
【００４４】
半導体リレー１２０は、交流電源の電流を通過又は遮断するリレーであり、スイッチングデバイスとして、例えば、トライアック１２１が使用される。ここで使用される半導体リレー１２０は、プリント基板に実装可能な程度に小型である一方、数百ワット程度、或いはそれ以上の比較的大きな負荷を駆動することができる。
【００４５】
しかしながら、この種の、小型かつ高負荷対応型の半導体リレー１２０では、動作可能な負荷電流範囲として、上限値ＩHighだけでなく、下限値ＩLowも規定されている。小型かつ高負荷対応型の半導体リレー１２０として、従来から使用されている典型的な例では、例えば、上限値ＩHighが５Ａ（アンペア）で、下限値ＩLowが０．１Ａとして規定されている。
【００４６】
交流電源３００の一端は、図３に示すように、半導体リレー１２０に接続されており、交流電源３００の他端は負荷である表示灯２００に接続されている。オン信号が制御回路１１０から半導体リレー１２０に出力されると、半導体リレー１２０は遮断状態から通過状態となり、表示灯２００に交流電源３００の電流が流れて、表示灯２００が点灯する。
【００４７】
表示灯２００が高負荷光源を使用している場合、例えば、消費電力１００ｗの白熱灯を使用している場合、表示灯２００に流れる電流（負荷電流）Ｉ１は、１Ａ（アンペア）であり、上記に例示した半導体リレー１２０の動作可能負荷電流範囲（０．１Ａ（下限値）以上、５Ａ（上限値）以下）の範囲に入る。したがって、この場合、半導体リレー１２０は動作し、表示灯２００は点灯する。
【００４８】
しかしながら、表示灯２００が低高負荷光源を使用している場合、例えば、消費電力５ＷのＬＥＤ電球を使用している場合、表示灯２００に流れる電流（負荷電流）Ｉ１は、０．０５Ａ（アンペア）であり、上記に例示した半導体リレー１２０の動作可能負荷電流範囲の下限値である０．１Ａよりも小さくなり、半導体リレー１２０は動作せず、表示灯２００はこのままでは点灯しない。
【００４９】
このような不都合を解消するため、実施形態の表示制御ユニット１００では、負荷（表示灯２００）にキャパシタ１３０を並列に接続する回路構成としている。このような回路構成により、キャパシタ１３０に流れる電流Ｉ２と、表示灯２００に流れる電流Ｉ１の合計電流（Ｉ１＋Ｉ２）が、半導体リレー１２０から見た負荷電流となる。つまり、キャパシタ１３０を表示灯２００に並列に接続することにより、半導体リレー１２０から見た負荷電流を増加させることができる。
【００５０】
キャパシタ１３０の代わりに抵抗を表示灯２００に並列に接続しても、半導体リレー１２０から見た負荷電流を増加させることができる。しかしながら、この場合には、抵抗によって電力が消費されるため、省電力の観点からは好ましくない。これに対して、キャパシタ１３０を接続した場合、電流と電圧の位相が異なる（ほぼ９０°ずれる）ため、キャパシタ１３０では、ほとんど電力が消費されず、無駄な電力消費が発生しない。
【００５１】
キャパシタ１３０の容量Ｃは、キャパシタ１３０を流れる交流電流Ｉ２が、半導体リレー１２０の動作可能負荷電流範囲の下限値ＩLowよりも大きくなるように設定すればよい。  
例えば、以下の各式からキャパシタ１３０の容量Ｃを設定することができる。  
Ｉ２（アンペア）＝Ｖ／Ｚ ≧ＩLow                            （式１）
Ｚ＝１／（２πｆＣ）                （式２）
Ｃ≧ＩLow／（Ｖ・２πｆ）            （式３）
ここで、Ｖは交流電源の電圧（Ｖ：ボルト）、ｆは交流電源の周波数（Ｈｚ：ヘルツ）、Ｚはキャパシタ１３０のインピーダンス（Ω：オーム）、Ｃはキャパシタ１３０の容量（Ｆ：ファラッド）である。  
Ｖ＝１００（ボルト）、ｆ＝５０（ヘルツ）とし、下限値ＩLow＝０．１（アンペア）とすると、キャパシタ１３０の容量Ｃは、
Ｃ≧３．２×１０−６  （Ｆ：ファラッド）  （式４）
と、算出される。したがって、３．２μＦ以上の容量のキャパシタ１３０を、負荷（表示灯２００）に並列に接続すれば、下限値ＩLowよりも大きな負荷電流を半導体リレー１２０に対して流すことができ、半導体リレー１２０を正常に動作させることができる。したがって、ＬＥＤ電球のような消費電力の小さな光源をもつ表示灯２００を点灯させることができる。
【００５２】
上記のように、図３に例示する表示灯制御ユニット１００によれば、１つの回路構成によって、また、外部から何ら制御することなく、白熱灯のような高負荷光源の表示灯２００であっても、また、ＬＥＤ電球のような低負荷光源の表示灯２００であっても、正常に動作させることができる。
【００５３】
図４は、図３の回路構成に対して、キャパシタ１３０に直列にキャパシタ無効化用のスイッチ１４０を設けたものである。表示灯２００が白熱灯のような高負荷光源を使用している場合には、表示灯２００に下限値ＩLow以上の負荷電流が流れるため、キャパシタ１３０に電流を流す必要はない。キャパシタ１３０での消費電力はそれほど大きいものではないが、それでも、その内部抵抗によって無駄な電力を消費する。また、この消費電力によりキャパシタ１３０は発熱する。そこで、表示灯２００が白熱灯のような高負荷光源を使用している場合には、スイッチ１４０をオフとして、無駄な電力消費や発熱を回避する。
【００５４】
一方、表示灯２００がＬＥＤ電球のような低負荷光源を使用している場合には、スイッチ１４０をオンとし、図３と等価な回路構成とすることができる。
【００５５】
なお、ここまでの説明では、交流電源の電圧を１００Ｖとして説明してきたが、これに限定するものではなく、例えば、２００Ｖでもよい。
【００５６】
以上説明してきたように、実施形態のＸ線ＣＴ装置によれば、低負荷の表示灯と高負荷の表示灯の間に互換性を持たせ、１つの回路構成で両方の表示灯を制御することができる。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１０  Ｘ線ＣＴ装置
１１  スキャナ装置
１２  医用画像処理装置
１００  表示灯制御ユニット
１１０  制御回路
１２０  半導体リレー（ＳＳＲ）
１３０  キャパシタ
１４０  キャパシタ無効化用のスイッチ
２００  表示灯
【図１】
2015213640.tif 000003
【図２】
2015213640.tif 000004
【図３】
2015213640.tif 000005
【図４】
2015213640.tif 000006